(57)【要約】【課題】一枚のブランクにより形成され、鏡餅の包装容器として使用できるとともに、開封後は鏡餅の載置台として使用できる鏡餅用包装箱を提供する。【解決手段】１枚の紙製のブランクから形成されている鏡餅用包装箱において、上部に開口が形成された横断面四角形の箱形の鏡餅収納部２と、前記開口を覆う蓋板３と、鏡餅の後方の両側に立設される第１の装飾板１０と第１の装飾板のそれぞれの上部に第２の装飾板１１が配置される鏡餅載置台を前記鏡餅収納部２内に備えている。蓋板３には、鏡餅用包装箱内に収納されている鏡餅を外側から見ることができる窓１４を設けてもよい。【選択図】図４
2019064714.tif 000002
【特許請求の範囲】
【請求項１】
１枚のブランクから形成され、開封後に鏡餅載置台となる鏡餅用包装箱において、
上部に開口が形成された横断面四角形の箱形の鏡餅収納部と、
前記鏡餅収納部から分離可能に連設されている、前記開口を覆う蓋板と、
前記鏡餅の後方の両側に立設される一対の第１の装飾板と、前記一対の第１の装飾板のそれぞれの上部に固定される第２の装飾板を備える鏡餅載置台を前記鏡餅収納部内に備えていることを特徴とする鏡餅用包装箱。
【請求項２】
前記鏡餅収納部が、折り曲げ線を介して連設された後板、後板に対向する前板、第１の側板及び第１の側板に対向する第２の側板と、前記後板、前記前板、前記第１の側板及び前記第２の側板のそれぞれに折り曲げ線を介して連設された底板により上部に開口を有する横断面四角形の箱形に形成され、
前記開口を覆う蓋板が、前記後板から切り離し可能に連設されていることを特徴とする請求項１に記載の鏡餅用包装箱。
【請求項３】
前記蓋板が鏡餅用包装箱内に収納されている鏡餅を外側から見ることができる窓が形成されていることを特徴とする請求項1又２に記載の鏡餅用包装箱。
【請求項４】
第１の側板と第２の側板のそれぞれに傾斜した折曲線を介して折り込み片が連接され、前記折り込み片に折曲線を介して第１の装飾板と接続片が連設され、前記接続片に折曲線を介して連結板が連設され、前記連結板には背板が連設され、前記背板には２本の平行な折曲線を介して第２の装飾板が連設され、前記第１の装飾板の上部に前記第２の装飾板の下部の二つ折りされた部分を差し込む切り込みが形成され、
前記連結板が前記底板に接し、折り込み片と接続片が第１の側板と第２の側板に接し、背板が前記後板に接し、前記第１の装飾板及び第２の装飾板が立設していることを特徴とする請求項１〜３のいずれか１項に記載の鏡餅用包装箱。
【請求項５】
前記背板の下部には、前記第１の装飾板に形成された係止片のそれぞれを係止する一対の係止孔が形成され、それぞれの係止孔の上部にスリットが形成されていることを特徴とする請求項４に記載の鏡餅用包装箱。
【請求項６】
前記第２の装飾板が半円形に形成されていることを特徴とする請求項４又は５に記載の鏡餅用包装箱。
【発明の詳細な説明】
【技術分野】
【０００１】
本発明は、鏡餅を収納する鏡餅用包装箱として使用し、容器の開封後には鏡餅の載置台として使用することができる鏡餅用包装箱に関する。
【背景技術】
【０００２】
鏡餅は鏡餅の形態を有するプラスチック容器の中に餅を入れたものが市販されている。また、飾りが付属した飾り付き鏡餅が市販されており、各種の鏡餅セットが提案されている。
【０００３】
例えば、一枚の型紙で鏡餅の背景を装飾する屏風、衝立てなどが形成された鏡餅飾りと、鏡餅を入れた鏡餅形パックが包装箱に収納された鏡餅セットが知られている（特許文献１参照）。
【０００４】
また、鏡餅を飾るための台座および屏風を形成することができる鏡餅容器、この鏡餅容器を用いた鏡餅セットが知られている（特許文献２参照）。
【０００５】
また、鏡餅を載置して飾るための鏡餅載置台が知られている（特許文献３参照）。
【先行技術文献】
【特許文献】
【０００６】
【特許文献１】特開２０１５−１５４８９４号公報
【特許文献２】特開２０１４−５０４４３号公報
【特許文献３】特開２０１４−４０９９号公報
【発明の概要】
【発明が解決しようとする課題】
【０００７】
前記特許文献１に記載された鏡餅セットは、鏡餅飾りを収納する包装箱を別途用意しなくてはならないという欠点がある。
【０００８】
前記特許文献２に記載された鏡餅セットは、鏡餅形パックが開口に固定されるために取り出しにくい欠点がある。
【０００９】
前記特許文献３に記載された鏡餅載置台は、鏡餅を載置するだけで鏡餅を包装する容器として使用できない欠点がある。
【００１０】
そこで、本発明は、一枚のブランクにより形成され、鏡餅の包装箱として使用できるとともに、開封後は鏡餅の載置台として使用できる鏡餅用包装箱を提供するものである。
【課題を解決するための手段】
【００１１】
本願の請求項１の発明は、１枚のブランクから形成され、開封後に鏡餅載置台となる鏡餅用包装箱において、上部に開口が形成された横断面四角形の箱形の鏡餅収納部と、前記鏡餅収納部から分離可能に連設されている、前記開口を覆う蓋板と、前記鏡餅の後方の両側に立設される一対の第１の装飾板と、前記一対の第１の装飾板のそれぞれの上部に固定される第２の装飾板を備える鏡餅載置台を前記鏡餅収納部内に備えていることを特徴とする鏡餅用包装箱である。
【００１２】
本願の請求項２の発明は、前記鏡餅収納部が、折り曲げ線を介して連設された後板、後板に対向する前板、第１の側板及び第１の側板に対向する第２の側板と、前記後板、前記前板、前記第１の側板及び前記第２の側板のそれぞれに折り曲げ線を介して連設された底板により上部に開口を有する横断面四角形の箱形に形成され、前記開口を覆う蓋板が、前記後板から切り離し可能に連設されていることを特徴とする請求項１に記載の鏡餅用包装箱である。
【００１３】
本願の請求項３の発明は、前記蓋板が鏡餅用包装箱内に収納されている鏡餅を外側から見ることができる窓が形成されていることを特徴とする請求項1又２に記載の鏡餅用包装箱である。
【００１４】
本願の請求項４の発明は、第１の側板と第２の側板のそれぞれに傾斜した折曲線を介して折り込み片が連接され、前記折り込み片に折曲線を介して第１の装飾板と接続片が連設され、前記接続片に折曲線を介して連結板が連設され、前記連結板には背板が連設され、前記背板には２本の平行な折曲線を介して第２の装飾板が連設され、前記第１の装飾板の上部に前記第２の装飾板の下部の二つ折りされた部分を差し込む切り込みが形成され、
前記連結板が前記底板に接し、折り込み片と接続片が第１の側板と第２の側板に接し、背板が前記後板に接し、前記第１の装飾板及び第２の装飾板が立設していることを特徴とする請求項１〜３のいずれか１項に記載の鏡餅用包装箱である。
【００１５】
本願の請求項５の発明は、前記背板の下部には、前記第１の装飾板に形成された係止片のそれぞれを係止する一対の係止孔が形成され、それぞれの係止孔の上部にスリットが形成されていることを特徴とする請求項４に記載の鏡餅用包装箱である。
【００１６】
本願の請求項６の発明は、前記第２の装飾板が半円形に形成されていることを特徴とする請求項１〜５のいずれか１項に記載の鏡餅用包装箱である。
【発明の効果】
【００１７】
本願発明は、鏡餅収納部に蓋をすることにより鏡餅用包装箱として使用でき、鏡餅収納部に装飾板が配置されているので、鏡餅用包装箱を開封した後は、装飾板を固定するだけで簡単に鏡餅載置台を組み立てることができる。
【００１８】
本願発明は、鏡餅用包装箱と鏡餅載置台が１枚のブランクで形成されているので、部品点数が少なく、簡単に鏡餅用包装箱と鏡餅載置台を組み立てることができる。
【００１９】
本願発明は、背板の下部の係止孔にスリットを形成することにより、鏡餅載置台から鏡餅を取り出す際に第１の装飾板の係止片が容易に外れて簡単に取り出すことができる。
【図面の簡単な説明】
【００２０】
【図１】本発明の鏡餅用包装箱の全体図である。
【図２】本発明の鏡餅用包装箱を鏡餅載置台に組み立てた図である。
【図３】本発明の鏡餅用包装箱を組み立てに使用するブランクを示す図である。
【図４】鏡餅用包装箱の組み立て手順の説明図である。
【図５】鏡餅用包装箱の組み立て手順の説明図である。
【図６】鏡餅用包装箱の組み立て手順の説明図である。
【図７】鏡餅用包装箱の組み立て手順の説明図である。
【図８】鏡餅載置台の組み立て手順の説明図である。
【発明を実施するための形態】
【００２１】
本発明の実施例について図面を参照しながら説明する。
【実施例１】
【００２２】
図１において、鏡餅用包装箱１は、１枚のブランク（厚紙製）により組み立てられており、鏡餅Ｋを収納する箱状の鏡餅収納部２と、鏡餅収納部２の上部の開口をアーチ型に覆う蓋板３からなる。なお、蓋板３には、必要に応じて収納されている鏡餅Ｋを外側から見ることができるよう、窓１４を設けてもよい。鏡餅収納部２は、図３に示すブランクの後板４、第１の側板５、前板６、第２の側板７、底板８で箱状に形成され、鏡餅Ｋ及び飾りの橙を収納して蓋板３で覆われた状態で運搬され、店頭に陳列される。
【００２３】
さらに、鏡餅用包装箱１は、図２に示すように、鏡餅用包装箱１を開封して鏡餅載置台９として使用可能となっており、鏡餅用包装箱１と鏡餅載置台９は図３に示す１枚のブランクで形成される。鏡餅載置台９は、後述する、鏡餅Ｋの背景として鏡餅Ｋの後方の両側に屏風等が描かれる第１の装飾板１０と扇等が描かれる半円形の扇形をした第２の装飾板１１が鏡餅収納部２内に配置され、開封後に第１の装飾板１０の切り込み２９に第２の装飾板１１が固定されて鏡餅載置台となる。なお、第１の装飾板１０と第２の装飾板１１の形状や表示は、装飾の内容に応じて適宜デザインすることができる。
【００２４】
図３において、鏡餅用包装箱１及び鏡餅載置台９を形成する１枚のブランクは、図の左から右へ後板４、第１の側板５、前板６、第２の側板７が折曲線１２を介して連設され、それぞれの板４〜７の下辺に折り曲げ線１２を介して分割された底板８が形成されている。
【００２５】
後板４には、その上部に蓋となる蓋板３がミシン目の切断線１３を介して切り離し可能に連設されている。蓋板３には、鏡餅用包装箱１の組立後に収納されている鏡餅を外側から見ることができるように窓１４が形成されているが、なくてもよい。後板４の側部には、第２の側板７に貼着する貼着片１５が形成されている。蓋板３には、蓋板３を後板４から切り離す際に、蓋板３を引っ張り易いように、三角形の摘まみ片１６を形成する折り曲げ線１７を形成してもよい。
【００２６】
前板６の上方に、鏡餅の一部が載置されるとともに、両側の一対の第１の装飾板１０を連結する連結板１８が配置され、連結板１８は組立の際に後板４側に押し込まれて底板８側へ移動して底板８の上面に接する。
【００２７】
連結板１８には背板１９が連設され、背板１９は組立後に連結板１８に対して垂直に折り曲げられて後板４に接する。背板１９には２本の平行な谷折り線２０と山折り線２１を介して第２の装飾板１１が連設されている。背板１９の下部には、一対の第１の装飾板１０に形成された係止片２２のそれぞれを係止する一対の係止孔２３が形成されている。係止孔２３には、組み立てた鏡餅載置台から鏡餅を取り出す際には、係止孔２３に係止された第１の装飾板１０の係止片２２が容易に取り外せるようにスリット３２が形成されている。
【００２８】
連結板１８と、両側の一対の第１の装飾板１０は、折り込み片２４と接続片２５を介して連設されている。折り込み片２４は、第１の側板５と第２の側板７のそれぞれと傾斜した折曲線２６を介して連設され、折り込み片２４に折曲線２７を介して接続片２５が連設され、接続片２５は折曲線２８を介して連結板１８と連設されている。
【００２９】
それぞれの折り込み片２４の上部には、第１の装飾板１０が連設されている。第１の装飾板１０には、背板１９の係止孔２３に係止する係止片２２が設けられている。また、第１の装飾板１０には第２の装飾板１１の下部を差し込んで係止する切り込み２９が形成されている。
【００３０】
それぞれの接続片２５は、第１の側板５および第２の側板７と切断線３０を介して連設されている。
【００３１】
次に、前記ブランクを用いた鏡餅用包装箱の組立及び載置台の組立について説明する。
【００３２】
＜鏡餅用包装箱の組立＞
図４は鏡餅を収納する箱状の鏡餅収納部２の組立を示し、図３に示すブランクの後板４、第１の側板５、前板６、第２の側板７を折曲線１２に沿って四角形状になるように折り曲げながら分割された底板８を交互に重ねていき、後板４の貼着片１５を第２の側板７に貼着して箱状の鏡餅収納部２を形成する。
【００３３】
図５に示すように、鏡餅収納部２の正面の連結板１８を後板４側に押して第１の側板５と第２の側板７と接続片２５を切断線３０に沿って切り離す。
【００３４】
図６に示すように、さらに連結板１８を後板４側に押していくと、接続片２５に連接されている折り込み片２４が第１の側板５と第２の側板７のそれぞれに傾斜した折曲線２６に沿って下側に曲げられて第１の側板５と第２の側板７の内側に折り込まれて第１の装飾板１０が鏡餅収納部内に入り込むとともに、連結板１８は底板８に重なり、背板１９が後板４に接し、第２の装飾板１１は直立する。背板１９は第１の側板５と第２の側板７の押さえ片３１を曲げて倒れないようにする。
【００３５】
図７に示すように、次いで、第１の装飾板１０に形成された係止片２２のそれぞれを背板１９の下部の係止孔２３に差し込んで固定する。
【００３６】
以上の手順で組み立てられた鏡餅収納部２に、図２に示すように、鏡餅Ｋを入れ、第１の側板５又は第２の側板７と第1の装飾板１０とで形成される空間に鏡餅Ｋの上に載せる飾りの橙（図示せず）を収納した後、蓋板３をアーチ型に被せて第２の装飾板１１とともに曲げ、蓋板３の端を粘着テープで底板８に固定した後、運搬したり、展示したりする。
【００３７】
＜載置台の組立＞
図８において（説明上、収納されている鏡餅は図示せず）、図３に示す蓋板３の摘まみ片１６を起こし、引っ張って蓋板３を切断線１３に沿って切り離した後、粘着テープを剥がして蓋板３を取り除く。次いで、第２の装飾板１１を２本の平行な谷折り線２０と山折り線２１で曲げ、第１の装飾板１０に第２の装飾板１１の山折り部分を第１の装飾板１０の切り込み２９に差し込んで固定することにより図３に示す鏡餅載置台が完成する。        
【００３８】
＜載置台からの鏡餅取り出し方＞
鏡餅載置台から鏡餅を取り出す際には、後板４を押えながら第２の装飾板１１を上に引き上げると、第１の装飾板１０の係止片２２が係止孔２３のスリット３２に沿って移動して外れ、連結板１８が起き上がり、鏡餅が取り出しやすくなる。
【符号の説明】
【００３９】
１：鏡餅用包装箱          ２：鏡餅収納部
３：蓋板                  ４：後板
５：第１の側板            ６：前板
７：第２の側板            ８：底板
９：鏡餅載置台          １０：第１の装飾板
１１：第２の装飾板        １２：折曲線
１３：切断線              １４：窓
１５：貼着片              １６：摘まみ片
１７：折り曲げ線          １８：連結板
１９：背板                ２０：谷折り線
２１：山折り線            ２２：係止片
２３：係止孔              ２４：折り込み片
２５：接続片              ２６：傾斜した山折り線
２７：山折り線            ２８：谷折り線
２９：切り込み            ３０：切断線
３１：押さえ片            ３２：スリット  
Ｋ：鏡餅
【図１】
2019064714.tif 000003
【図２】
2019064714.tif 000004
【図３】
2019064714.tif 000005
【図４】
2019064714.tif 000006
【図５】
2019064714.tif 000007
【図６】
2019064714.tif 000008
【図７】
2019064714.tif 000009
【図８】
2019064714.tif 000010